(57)【要約】  【課題】  登録済みのユーザの操作性の向上を図るとともに、セキュリティレベルを維持しつつ、ゲストユーザに対応したインターフェース画面を表示させることのできる技術を提供する。  【解決手段】  ユーザを識別するための識別情報を取得する識別情報取得部と、前記識別情報取得部にて取得された識別情報に基づいて、前記ユーザが第１のグループおよび該第１のグループよりもセキュリティレベルが低い処理項目についての操作のみ許可される第２のグループの内いずれのグループに属するかを判定する判定部と、前記判定部にて前記第２のグループに属すると判定されるユーザに対しては、前記第１のグループに属すると判定されるユーザに対して表示させるべき処理項目よりもセキュリティレベルが低い所定の処理項目に対応する表示対象物のみを表示させる制御部とを備えてなる。  【選択図】  図３
2007293418.tif 000002
【特許請求の範囲】
【請求項１】
ユーザを識別するための識別情報を取得する識別情報取得部と、
前記識別情報取得部にて取得された識別情報に基づいて、前記ユーザが第１のグループおよび該第１のグループよりもセキュリティレベルが低い処理項目についての操作のみ許可される第２のグループの内いずれのグループに属するかを判定する判定部と、
前記判定部にて前記第２のグループに属すると判定されるユーザに対しては、前記第１のグループに属すると判定されるユーザに対して表示させるべき処理項目よりもセキュリティレベルが低い所定の処理項目に対応する表示対象物のみを表示させる制御部と
を備えてなる表示制御装置。
【請求項２】
請求項１に記載の表示制御装置において、
前記第１のグループに属するユーザは、予めユーザ登録されているユーザである表示制御装置。
【請求項３】
請求項１に記載の表示制御装置において、
前記制御部は、第２のグループに属すると判定されるユーザに対しては、第１のグループに属すると判定されるユーザにのみアクセスを許可すべき情報へのアクセスを可能とする処理項目に対応する表示対象物を表示させない表示制御装置。
【請求項４】
請求項１に記載の表示制御装置において、
前記判定部にて第１のグループに属すると判定されるユーザの識別情報に対応付けられている画面表示に関する設定情報を、前記表示制御装置と通信可能な外部機器から取得する設定情報取得部を備え、
前記制御部は、第１のグループに属すると判定されるユーザに対しては、前記設定情報取得部にて取得される設定情報に基づいて、第１のグループに属すると判定されるユーザに対して表示させるべき処理項目に対応する表示対象物を表示させる表示制御装置。
【請求項５】
請求項４に記載の表示制御装置において、
任意の表示対象物の画面上における表示位置および強調表示の度合いのうち少なくとも一方を設定する表示設定部を備え、
前記設定情報取得部は、前記表示設定部にて設定された情報を前記設定情報として取得する表示制御装置。
【請求項６】
請求項１に記載の表示制御装置において、
前記判定部にて第１のグループに属すると判定されるユーザの表示対象物の選択頻度に関する情報を取得する頻度情報取得部を備え、
前記制御部は、頻度情報取得部にて取得される情報に基づいて、該ユーザにより選択される頻度が高い表示対象物ほど画面上における左側および上側のうち少なくとも一方の側に位置するように表示させる表示制御装置。
【請求項７】
請求項１に記載の表示制御装置において、
前記判定部にて第１のグループに属すると判定されるユーザの表示対象物の選択頻度に関する情報を取得する頻度情報取得部を備え、
前記制御部は、頻度情報取得部にて取得される情報に基づいて、該ユーザにより選択される頻度が高い表示対象物ほど画面上において強調されるように表示させる表示制御装置。
【請求項８】
請求項１に記載の表示制御装置において、
前記頻度情報取得部は、前記判定部にて第１のグループに属すると判定されるユーザの、前記制御部により画面表示させるべき表示部を有する機器における、表示対象物の選択頻度に関する情報を取得する表示制御装置。
【請求項９】
請求項１に記載の表示制御装置において、
前記表示対象物は、文字およびアイコンの内少なくともいずれかを含む表示制御装置。
【請求項１０】
請求項７に記載の表示制御装置において、
前記制御部は、文字の内容、字の書体、字の太さ、字の傾き、図形の形状、線の太さ、輝度、大きさ、動き、彩度およびコントラスト値のうち少なくともいずれかを変化させることにより前記表示対象物の強調表示を行う表示制御装置。
【請求項１１】
請求項１乃至請求項１０のいずれか１項に記載の表示制御装置と、
前記表示制御装置による表示内容に基づくユーザの操作入力を受け付ける操作入力部と、
前記操作入力部にて受け付けた入力に基づいて、所定の画像処理を行う画像処理部と
を備えてなる画像処理装置。
【請求項１２】
ユーザを識別するための識別情報を取得する識別情報取得ステップと、
前記識別情報取得ステップにて取得された識別情報に基づいて、前記ユーザが第１のグループおよび該第１のグループよりもセキュリティレベルが低い処理項目についての操作のみ許可される第２のグループの内いずれのグループに属するかを判定する判定ステップと、
前記判定ステップにて前記第２のグループに属すると判定されるユーザに対しては、前記第１のグループに属すると判定されるユーザに対して表示させるべき処理項目よりもセキュリティレベルが低い所定の処理項目に対応する表示対象物のみを表示させる制御ステップと
を備えてなる表示制御方法。
【請求項１３】
請求項１２に記載の表示制御方法において、
前記第１のグループに属するユーザは、予めユーザ登録されているユーザである表示制御方法。
【請求項１４】
請求項１２に記載の表示制御方法において、
前記制御ステップは、第２のグループに属すると判定されるユーザに対しては、第１のグループに属すると判定されるユーザにのみアクセスを許可すべき情報へのアクセスを可能とする処理項目に対応する表示対象物を表示させない表示制御方法。
【請求項１５】
請求項１２に記載の表示制御方法において、
前記判定ステップにて第１のグループに属すると判定されるユーザの識別情報に対応付けられている画面表示に関する設定情報を、外部機器から取得する設定情報取得ステップを備え、
前記制御ステップは、第１のグループに属すると判定されるユーザに対しては、前記設定情報取得ステップにて取得される設定情報に基づいて、第１のグループに属すると判定されるユーザに対して表示させるべき処理項目に対応する表示対象物を表示させる表示制御方法。
【請求項１６】
請求項１５に記載の表示制御方法において、
任意の表示対象物の画面上における表示位置および強調表示の度合いのうち少なくとも一方を設定する表示設定ステップを備え、
前記設定情報取得ステップは、前記表示設定ステップにて設定された情報を前記設定情報として取得する表示制御方法。
【請求項１７】
請求項１２に記載の表示制御方法において、
前記判定ステップにて第１のグループに属すると判定されるユーザの表示対象物の選択頻度に関する情報を取得する頻度情報取得ステップを備え、
前記制御ステップは、頻度情報取得ステップにて取得される情報に基づいて、該ユーザにより選択される頻度が高い表示対象物ほど画面上における左側および上側のうち少なくとも一方の側に位置するように表示させる表示制御方法。
【請求項１８】
請求項１２に記載の表示制御方法において、
前記判定ステップにて第１のグループに属すると判定されるユーザの表示対象物の選択頻度に関する情報を取得する頻度情報取得ステップを備え、
前記制御ステップは、頻度情報取得ステップにて取得される情報に基づいて、該ユーザにより選択される頻度が高い表示対象物ほど画面上において強調されるように表示させる表示制御方法。
【請求項１９】
請求項１２に記載の表示制御方法において、
前記頻度情報取得ステップは、前記判定ステップにて第１のグループに属すると判定されるユーザの、前記制御ステップにより画面表示させるべき表示部を有する機器における、表示対象物の選択頻度に関する情報を取得する表示制御方法。
【請求項２０】
請求項１２に記載の表示制御方法において、
前記表示対象物は、文字およびアイコンの内少なくともいずれかを含む表示制御方法。
【請求項２１】
請求項１８に記載の表示制御方法において、
前記制御ステップは、文字の内容、字の書体、字の太さ、字の傾き、図形の形状、線の太さ、輝度、大きさ、動き、彩度およびコントラスト値のうち少なくともいずれかを変化させることにより前記表示対象物の強調表示を行う表示制御方法。
【発明の詳細な説明】
【技術分野】
【０００１】
本発明は、文字やアイコン等の表示対象物を画面表示するインターフェース画面に関し、特にインターフェース画面における表示対象物の表示制御技術に関するものである。
【背景技術】
【０００２】
従来、画像処理装置等においてそれぞれ異なる処理を行う処理モード（コピー処理モードやプリント処理モードなど）を選択する場合、メインメニュー画面にて所望の処理モードに対応するアイコンを選択している。このメインメニュー画面は、当該画像処理装置等についての登録ユーザであるか、登録ユーザ以外の不特定多数のユーザであるかに拘らず、同一の表示内容である（例えば、特許文献１〜４参照。）。
【特許文献１】特開２００４−３４８０８５号公報
【特許文献２】特開２００４−１８５１４３号公報
【特許文献３】特開２０００−２３１３０９号公報
【特許文献４】特開平１１−２８８３４４号公報
【発明の開示】
【発明が解決しようとする課題】
【０００３】
しかし、ユーザが選択する処理モードによっては、外部に知られたくないような情報をゲストのユーザに取得されてしまうおそれがある。一方、あまりにセキュリティレベルを高くすることを意識しすぎて登録ユーザに対して表示させるインターフェース画面の操作性を損なうことは好ましくない。
【０００４】
本発明は上述した問題点を解決するためになされたものであり、登録済みのユーザの操作性の向上を図るとともに、セキュリティレベルを維持しつつ、ゲストユーザに対応したインターフェース画面を表示させることのできる技術を提供することを目的とする。
【課題を解決するための手段】
【０００５】
上述した課題を解決するため、本発明に係る表示制御装置は、ユーザを識別するための識別情報を取得する識別情報取得部と、前記識別情報取得部にて取得された識別情報に基づいて、前記ユーザが第１のグループおよび該第１のグループよりもセキュリティレベルが低い処理項目についての操作のみ許可される第２のグループの内いずれのグループに属するかを判定する判定部と、前記判定部にて前記第２のグループに属すると判定されるユーザに対しては、前記第１のグループに属すると判定されるユーザに対して表示させるべき処理項目よりもセキュリティレベルが低い所定の処理項目に対応する表示対象物のみを表示させる制御部とを備えてなることを特徴とするものである。
【０００６】
また、本発明に係る画像処理装置は、上述のような構成の表示制御装置と、前記表示制御装置による表示内容に基づくユーザの操作入力を受け付ける操作入力部と、前記操作入力部にて受け付けた入力に基づいて、所定の画像処理を行う画像処理部とを備えてなることを特徴とするものである。
【０００７】
また、本発明に係る表示制御方法は、ユーザを識別するための識別情報を取得する識別情報取得ステップと、前記識別情報取得ステップにて取得された識別情報に基づいて、前記ユーザが第１のグループおよび該第１のグループよりもセキュリティレベルが低い処理項目についての操作のみ許可される第２のグループの内いずれのグループに属するかを判定する判定ステップと、前記判定ステップにて前記第２のグループに属すると判定されるユーザに対しては、前記第１のグループに属すると判定されるユーザに対して表示させるべき処理項目よりもセキュリティレベルが低い所定の処理項目に対応する表示対象物のみを表示させる制御ステップとを備えてなることを特徴とするものである。
【発明の効果】
【０００８】
以上に詳述したように本発明によれば、登録済みのユーザの操作性の向上を図るとともに、セキュリティレベルを維持しつつ、ゲストユーザに対応したインターフェース画面を表示させることのできる技術を提供することができる。
【発明を実施するための最良の形態】
【０００９】
以下、本発明の実施の形態について図面を参照しつつ説明する。図１は、本実施の形態による表示制御装置２を備えた画像処理装置１１が適用されるネットワークシステムの構成を示す図である。同図に示すネットワークシステムでは、インターネット９等の電気通信回線を介して、画像処理装置１１〜１ｎ、データベース３、ＰＣ（Personal Computer）４１〜４ｎおよびサーバ５が相互通信可能に接続されている。
【００１０】
ここでは、画像処理装置１１〜１ｎ、データベース３、ＰＣ４１〜４ｎおよびサーバ５については、それぞれを相互に通信可能に接続する手段がインターネットであるものとしているが、これに限らずＬＡＮやＷＡＮ等であってもよい（また、有線であるか無線であるかは問わない）。また、ＰＣ４１〜４ｎからは、画像処理装置１１〜１ｎへの画像処理に関する種々の設定や画像処理の実行命令等を行なうことが可能となっている。ＰＣ４１〜４ｎからの画像処理装置１１〜１ｎへの命令等は、ＰＣ４１〜４ｎにインストールされたドライバによって行なう。データベース３は、画像処理装置１１〜１ｎ、ＰＣ４１〜４ｎにて利用される各種設定情報等を格納する記憶領域としての役割を有している。
【００１１】
図２は、本実施の形態による表示制御装置２を備えた画像処理装置１１の概要について説明するための外観斜視図である。ここでは、一例として、画像処理装置１１がＭＦＰ（Multi Function Peripheral）である例を挙げる。
【００１２】
本実施の形態による画像処理装置１１は、インターフェース画面１０１、ＡＤＦ（Auto Document Feeder）１０２、画像読取部１０３、手差し給紙部１０４、給紙カセット１０５、画像形成部１０６、認証処理部１０７および表示制御装置２を備えてなる構成となっている。
【００１３】
以下、本実施の形態による画像処理装置１１の動作について簡単に説明する。画像処理装置１１にてコピー処理（所定の画像処理）を行う場合、まず認証処理部１０７にてユーザの認証処理が行われる。続いて、認証処理に成功したユーザによるインターフェース画面１０１への操作入力に基づいて、ＡＤＦ１０２にセットされた原稿が画像読取部（画像処理部）１０３による原稿読取位置に対して自動搬送される。このようにして搬送された原稿は、画像読取部１０３にて画像を読み取られる。そして、インターフェース画面１０１への操作入力に基づいて選択された給紙方法により、給紙カセット１０５および手差し給紙部１０４の内いずれか一方により給紙動作が行なわれる。給紙された用紙は、画像形成部（画像処理部）１０６に搬送され、画像読取部１０３にて読み取られた画像に基づく画像形成処理が施され、コピー処理が完了する。
【００１４】
なお、インターフェース画面１０１は、例えばタッチパネルディスプレイから構成されており、インターフェース画面１０１における表示内容に基づくユーザの操作入力を受け付ける操作入力部としての役割も有している。
【００１５】
続いて、表示制御装置２について詳細に説明する。表示制御装置２は、画像処理装置１１における「データ送信」、「お気に入り登録内容の呼出」、「スキャンプレビュー」、「プリント」、「データ保存」および「データ呼出」等の、それぞれが異なる所定の処理を行なう複数の処理モードに対応する文字やアイコン等の複数の表示対象物をインターフェース画面１０１上に画面表示させる役割を有している。なお、ここでの「文字」には「記号」が含まれ、「アイコン」には「図形」が含まれる。本実施の形態による表示制御装置では、文字およびアイコンの内少なくともいずれか一方を含むものを表示対象物として画面表示可能であるが、以下の説明では説明の便宜上、表示対象物を単に「アイコン」と表現する。画像処理装置１１における上記所定の処理の処理対象物としては、例えばシート原稿、冊子状の原稿および画像データ等が挙げられる。
【００１６】
図３は、本実施の形態による表示制御装置２について説明するための機能ブロック図である。本実施の形態による表示制御装置２は、識別情報取得部２０１、判定部２０２、設定情報取得部２０３、頻度情報取得部２０４、制御部２０５、表示設定部２０６、ＣＰＵ８０１およびＭＥＭＯＲＹ８０２を備えてなる構成となっている。
【００１７】
識別情報取得部２０１は、認証処理部１０７における認証処理にて取得されるユーザＩＤ等のユーザを識別するための識別情報を取得する。認証処理部１０７における認証処理は、例えば認証処理部１０７が備えるアンテナによりユーザが所有する非接触ＩＣカードに記憶されたユーザＩＤを読み取ることにより行なわれる。もちろん、認証処理部１０７における識別情報の取得は、非接触ＩＣカードの読み取りに限られず、例えばキー入力やバイオメトリクス認証における指紋や声紋等の生体情報の入力によって取得されるようにしてもよい。
【００１８】
判定部２０２は、識別情報取得部２０１にて取得された識別情報に基づいて、ユーザが「第１のグループ」および「該第１のグループよりもセキュリティレベルが低い処理項目についての操作のみ許可される第２のグループ」の内いずれのグループに属するかを判定する。なお、ここでの第１のグループに属するユーザとは予めユーザ登録されているユーザであり、第２のグループに属するユーザとはユーザ登録されていないゲストユーザである。
【００１９】
設定情報取得部２０３は、判定部２０２にて第１のグループに属すると判定されるユーザの識別情報に対応付けられている画面表示に関する設定情報を、表示制御装置２と通信可能な外部機器としてのデータベース３から取得する。
【００２０】
頻度情報取得部２０４は、判定部２０２にて第１のグループに属すると判定されるユーザの、制御部２０５により画面表示させるべき表示部（インターフェース画面１０１に相当）を有する画像処理装置１１における、表示対象物の選択頻度に関する情報をデータベース３から取得する。
【００２１】
制御部２０５は、判定部２０２にて第２のグループに属すると判定されるユーザに対しては、第１のグループに属すると判定されるユーザに対して表示させるべき処理項目よりもセキュリティレベルが低い所定の処理項目に対応する表示対象物のみを表示させる。図４は、第２のグループに属するゲストユーザに対しての画面表示が許可されているアイコン（所定の処理項目に対応する表示対象物）のリストを示す図である。同図における選択頻度は、画像処理装置１１を使用している全ユーザについての月当りの選択頻度の平均値である。図５は、制御部２０５により第２のグループに属するゲストユーザに対して画面表示されるインターフェース画面の一例を示す図である。
【００２２】
同図に示す例では、各処理モードに対応するアイコン６０１、アイコン６０３およびアイコン６０５が並列に同じサイズで並べて表示されているが、ゲストユーザに対するセキュリティ対策のため、「データ保存」、「データ呼出」、「お気に入り」、「プリント」については、あらかじめ表示対象から除かれている。
【００２３】
このように、制御部２０５は、第２のグループに属すると判定されるユーザに対しては、第１のグループに属すると判定されるユーザにのみアクセスを許可すべき情報へのアクセスを可能とする処理項目に対応する表示対象物を表示させない。
【００２４】
一方、制御部２０５は、第１のグループに属すると判定されるユーザに対しては、設定情報取得部２０３にて取得される設定情報に基づいて、第１のグループに属すると判定されるユーザに対して表示させるべき処理項目に対応する表示対象物を表示させる。なお、ここでは第１のグループに属する登録ユーザに対しては、「データ送信」、「お気に入り登録内容の呼出」、「スキャンプレビュー」、「プリント」、「データ保存」および「データ呼出」の全ての処理モードに対応するアイコンを表示可能であるものとする。
【００２５】
制御部２０５は、頻度情報取得部２０４にて取得される情報に基づいて、該ユーザにより選択される頻度が高い表示対象物ほど画面上における左側および上側のうち少なくとも一方の側に位置するように表示させる。図６は、頻度情報取得部２０４にて取得されたユーザによる表示対象物の選択頻度を示すグラフである。同図に示すように、ここではアイコン６０１、アイコン６０２、アイコン６０３、アイコン６０４、アイコン６０５、アイコン６０６、アイコン６０７の順に選択頻度が高いことが分かる。図７は、頻度情報取得部２０４にて取得される選択頻度に基づいて、アイコン６０１〜６０７を画面左上に最も選択頻度が高いアイコンが位置し、画面右下に最も選択頻度が低いアイコンが位置するように配列した様子を示す図である。一般に、ユーザインターフェースを設計する際には、重要度の高いものは左側あるいは上側に配置し、重要度の低いものは右側あるいは下側に配置するという原則がある。よって、この原則に則ってアイコンを画面上に配列することが好ましい。すなわち、表示領域全体を画面上の中央位置よりも左側、上側、あるいは左上側に配置することにより、必然的に重要度の高いアイコンが画面上の中央位置よりも左側、上側、あるいは左上側に位置することになり、外側の環状領域に配置されている重要度の低いアイコンが画面上の中央位置よりも右側、下側、あるいは右下側に位置することになる。これにより、ユーザインターフェースの一般的な設計原則に則った（ユーザにとって自然な）アイコンの配列とすることができ、ユーザの操作性の向上に寄与することができる。
【００２６】
また、制御部２０５は、頻度情報取得部２０４にて取得される情報に基づいて、該ユーザにより選択される頻度が高い表示対象物ほど画面上において強調されるように表示させることもできる。具体的に、制御部２０５は、例えば文字の内容、字の書体、字の太さ、字の傾き、図形の形状、線の太さ、輝度、大きさ、動き、彩度およびコントラスト値等のうち少なくともいずれかを変化させることにより表示対象物の強調表示を行う。図８は、ユーザの選択頻度に基づいて、制御部２０５によって選択頻度の高いアイコンほど大きいサイズで表示（強調表示）されるように表示させたインターフェース画面１０１の一例を示す図である。
【００２７】
このように、登録ユーザがログインした場合に、当該ユーザの過去の操作ログに基づいて、選択頻度の高いアイコンについては強調表示したり、ユーザインターフェースの原則に則った注意を惹きやすい位置に配置するようにすることで、当該ユーザが選択する可能性の高いアイコンを選択しやすいインターフェース画面とすることができ、操作性の向上に寄与することができる。
【００２８】
このように、第１のグループに属するユーザに対しては当該ユーザに対して表示が許可されているアイコン群を当該ユーザに対応する表示設定に基づいて画面表示し、第２のグループに属するユーザ（いわゆる、ゲスト）に対してはセキュリティ上問題のない操作を行なうための限定された所定の処理項目を示すアイコン群を画面表示させることにより、登録済みのユーザの操作性の向上を図るとともに、セキュリティレベルを維持しつつ、ゲストユーザに対応したインターフェース画面を表示させることができる。
【００２９】
また、表示設定部２０６は、任意の表示対象物の画面上における表示位置および強調表示の度合いのうち少なくとも一方をデータベース３に設定登録する。設定情報取得部２０３は、表示設定部２０６にて設定された情報を設定情報として取得する。すなわち、ユーザが所望のアイコンを所望の表示位置としたり、所望のアイコンを所望の強調度合いで強調表示させたりすることができる構成とすることにより、ユーザはインターフェース画面の表示内容を自由にカスタマイズすることができる。これにより、ユーザがアイコンを使用頻度順に並べ替えたり、そのユーザが使用しない処理モードに対応するアイコンは表示させないようにしたり、「スキャンプレビュー」と「プリント」など関係性の高いメニュー同士をまとめて配置したりしてカスタマイズすることで、そのユーザにとって操作内容を認知し易いインターフェース画面を実現することができる。また、アイコン等の表示位置や強調表示に関する設定内容をデータベース３等の外部機器内に格納させることで、ユーザは一度表示設定を行えば、他の画像処理装置にてメインメニュー画面を表示させる際にも同じ表示設定をデータベース３等から取得することにより、同様なインターフェース画面で操作を行うこともできる。
【００３０】
ＣＰＵ８０１は、画像処理装置１１および表示制御装置２における各種処理を行う役割を有しており、またＭＥＭＯＲＹ８０２に格納されているプログラムを実行することにより種々の機能を実現する役割も有している。ＭＥＭＯＲＹ８０２は、例えばＲＯＭやＲＡＭ等から構成されており、画像処理装置１１および表示制御装置２において利用される種々の情報やプログラムを格納する役割を有している。
【００３１】
なお、上述の例では、インターフェース画面１０１が画像処理装置１１に備えられている例を示したが、これに限られるものではなく、例えばＰＣ４に備えられている構成であってもよい。この場合、頻度情報取得部２０４は、判定部２０２にて第１のグループに属すると判定されるユーザの、ＰＣ４１における、表示対象物の選択頻度に関する情報をデータベース３から取得する。図９は、頻度情報取得部２０４により取得された第１のグループに属するユーザ（図６にて示した選択頻度も当該ユーザに関するものである）のＰＣ４１におけるアイコンの選択頻度を示す表である。同図に示すように、当該ユーザは、画像処理装置１１におけるアイコンの選択頻度とは異なり、アイコン６０７、アイコン６０４、アイコン６０３、アイコン６０２、アイコン６０６、アイコン６０５、アイコン６０１の順に選択頻度が高い。これは、当該ユーザが画像処理装置１１を直接操作して利用するときと、ＰＣ４１を介して遠隔的に利用するときでは用途が異なるためであり、このようにユーザが実際に操作を行う機器毎にその機器に応じた選択履歴に基づくインターフェース画面を表示させることにより、ユーザはそれぞれの機器において効率的な作業を行うことができる。図１０は、図９に示す選択頻度に基づいて、ＰＣ４１の表示画面４１ａに画面表示されるインターフェース画面の例を示す図である。
【００３２】
図１１は、本実施の形態による表示制御装置における処理（表示制御方法）の流れについて説明するためのフローチャートである。
【００３３】
表示設定部２０６は、任意の表示対象物の画面上における表示位置および強調表示の度合いのうち少なくとも一方を設定する（表示設定ステップ）（Ｓ１０１）。
【００３４】
識別情報取得部２０１は、ユーザを識別するための識別情報を取得する（識別情報取得ステップ）（Ｓ１０２）。
【００３５】
判定部２０２は、識別情報取得ステップにて取得された識別情報に基づいて、ユーザが第１のグループおよび該第１のグループよりもセキュリティレベルが低い処理項目についての操作のみ許可される第２のグループの内いずれのグループに属するかを判定する（判定ステップ）（Ｓ１０３）。
【００３６】
設定情報取得部２０３は、判定ステップにて第１のグループに属すると判定されるユーザの識別情報に対応付けられている画面表示に関する設定情報を、外部機器から取得する（設定情報取得ステップ）（Ｓ１０４）。設定情報取得ステップでは、表示設定ステップにて設定された情報を設定情報として取得することもできる。
【００３７】
頻度情報取得部２０４は、判定ステップにて第１のグループに属すると判定されるユーザの表示対象物の選択頻度に関する情報を取得する（頻度情報取得ステップ）（Ｓ１０５）。また、頻度情報取得ステップは、判定ステップにて第１のグループに属すると判定されるユーザの、制御ステップにより画面表示させるべき表示部を有する機器における、表示対象物の選択頻度に関する情報を取得することが望ましい。
【００３８】
制御部２０５は、判定ステップにて第２のグループに属すると判定されるユーザに対しては、第１のグループに属すると判定されるユーザに対して表示させるべき処理項目よりもセキュリティレベルが低い所定の処理項目に対応する表示対象物のみを表示させる（制御ステップ）（Ｓ１０６）。すなわち、制御ステップは、第２のグループに属すると判定されるユーザに対しては、第１のグループに属すると判定されるユーザにのみアクセスを許可すべき情報へのアクセスを可能とする処理項目に対応する表示対象物を表示させない。また、制御ステップは、第１のグループに属すると判定されるユーザに対しては、設定情報取得ステップにて取得される設定情報に基づいて、第１のグループに属すると判定されるユーザに対して表示させるべき処理項目に対応する表示対象物を表示させる。
【００３９】
なお制御ステップでは、頻度情報取得ステップにて取得される情報に基づいて、該ユーザにより選択される頻度が高い表示対象物ほど画面上における左側および上側のうち少なくとも一方の側に位置するように表示させることが好ましいが、該ユーザにより選択される頻度が高い表示対象物ほど画面上において強調されるように表示させるようにすることもできる。
【００４０】
上述の表示制御装置での処理における各ステップは、ＭＥＭＯＲＹ８０２に格納されている表示制御プログラムをＣＰＵ８０１に実行させることにより実現されるものである。なお、ここでは表示設定ステップが最初に実行される構成としているが、これに限られるものではなく、制御ステップによるインターフェース画面の表示処理を行う際に、表示設定ステップにおける設定内容が参照可能であればよい。もちろん、前回の操作時に表示設定部２０６にて設定された設定情報を、今回の制御ステップにて使用するようにすることもできる。
【００４１】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００４２】
なお、上述の実施の形態では、画像処理装置やＰＣから各種設定情報をデータベース３から取得する例を挙げたが、これに限られるものではなく、例えば上記表示制御方法によるアイコンの画面表示を行なおうとする機器の中に備わっている記憶領域（ＭＥＭＯＲＹ８０２等）から上記設定情報を取得してもよいし、他の画像処理装置やＰＣから取得するようにしてもよい。
【００４３】
また、本実施の形態では、メインメニュー画面が、ＭＦＰやＰＣにて表示される例を挙げたが、この他にも、プリンタ、スキャナ、およびＭＭＫ（Multi Media Kiosk）等のように、画像形成処理、画像読取処理、画像編集処理および撮像処理といった所定の画像処理を行う装置であれば適用可能であることは言うまでもない。
【００４４】
本発明を特定の態様により詳細に説明したが、本発明の精神および範囲を逸脱しないかぎり、様々な変更および改質がなされ得ることは、当業者には自明であろう。
【図面の簡単な説明】
【００４５】
【図１】本実施の形態による表示制御装置２を備えた画像処理装置１１が適用されるネットワークシステムの構成を示す図である。
【図２】本実施の形態による表示制御装置２を備えた画像処理装置１１の概要について説明するための外観斜視図である。
【図３】本実施の形態による表示制御装置２について説明するための機能ブロック図である。
【図４】第２のグループに属するゲストユーザに対しての画面表示が許可されているアイコン（所定の処理項目に対応する表示対象物）のリストを示す図である。
【図５】制御部２０５により第２のグループに属するゲストユーザに対して画面表示されるインターフェース画面の一例を示す図である。
【図６】頻度情報取得部２０４にて取得されたユーザによる表示対象物の選択頻度を示すグラフである。
【図７】頻度情報取得部にて取得される選択頻度に基づいて、アイコン６０１〜６０７を画面左上に最も選択頻度が高いアイコンが位置し、画面右下に最も選択頻度が低いアイコンが位置するように配列した様子を示す図である。
【図８】ユーザの選択頻度に基づいて、制御部によって選択頻度の高いアイコンほど大きいサイズで表示されるように表示させたインターフェース画面の一例を示す図である。
【図９】頻度情報取得部２０４により取得された第１のグループに属するユーザのＰＣ４１におけるアイコンの選択頻度を示す表である。
【図１０】図９に示す選択頻度に基づいて、ＰＣ４１の表示画面４１ａに画面表示されるインターフェース画面の例を示す図である。
【図１１】本実施の形態による表示制御装置における処理（表示制御方法）の流れについて説明するためのフローチャートである。
【符号の説明】
【００４６】
１１  画像処理装置、２  表示制御装置、２０１  識別情報取得部、２０２  判定部、２０３  設定情報取得部、２０４  頻度情報取得部、２０５  制御部、２０６  表示設定部、８０１  ＣＰＵ、８０２  ＭＥＭＯＲＹ。
【図１】
2007293418.tif 000003
【図２】
2007293418.tif 000004
【図３】
2007293418.tif 000005
【図４】
2007293418.tif 000006
【図５】
2007293418.tif 000007
【図６】
2007293418.tif 000008
【図７】
2007293418.tif 000009
【図８】
2007293418.tif 000010
【図９】
2007293418.tif 000011
【図１０】
2007293418.tif 000012
【図１１】
2007293418.tif 000013